(57)【要約】【課題】小型魚の遡上率を向上させ得る魚道用隔壁を提供する。【解決手段】水路６を横断するように配設される隔壁本体９の上部１０に、魚類の遡上を可能とする遡上越流部１１を設け、遡上越流部１１に溝状凹部１２を設ける。溝状凹部１２は、略９０度の角度をなすようように底部２３で連なった下流側の傾斜面２５と上流側の傾斜面２６を有する。下流側の傾斜面２５の上部に、上に突の円弧状の側面２９を連設すると共に上流側の傾斜面２６の上部に上流側の側面３２を連設する。遡上越流部１１を遡上する魚類は、溝状凹部１２に到達して休息した後、更に上流側に移動することによって遡上越流部を遡上できる。【選択図】図１４
2008025310.tif 000002
【特許請求の範囲】
【請求項１】
魚道用の水路に配設される魚道用隔壁であって、該水路を横断するように水路底面に配設される隔壁本体の上部に、魚類の遡上を可能とする遡上越流部が設けられ、該遡上越流部の、前記水路の長さ方向で見た幅部の中間部分に、互いに８０〜１２０度の角度をなすように底部で連なった、前記水路の下流側に向けて上向きに傾斜する下流側の傾斜面と前記水路の上流側に向けて上向きに傾斜する上流側の傾斜面とが設けられた溝状凹部が形成され、前記下流側の傾斜面の上部は、前記隔壁本体の下流側の、上に突の円弧状の側面の上部に連設されると共に、前記上流側の傾斜面の上部は、前記隔壁本体の上流側の側面の上部に連設されていることを特徴とする魚道用隔壁。
【請求項２】
魚道用の水路に配設される魚道用隔壁であって、該水路を横断するように水路底面に配設される隔壁本体の上部は、その一方の端部側がその他の部分よりも低く形成され、該一方の端部側に、魚類の遡上を可能とする遡上越流部が設けられ、該遡上越流部の、前記水路の長さ方向で見た幅部の中間部分に、互いに８０〜１２０度の角度をなすように底部で連なった、前記水路の下流側に向けて上向きに傾斜する下流側の傾斜面と前記水路の上流側に向けて上向きに傾斜する上流側の傾斜面とが設けられた溝状凹部が形成され、前記下流側の傾斜面の上部は、前記隔壁本体の下流側の、上に突の円弧状の側面の上部に連設されると共に、前記上流側の傾斜面の上部は、前記隔壁本体の上流側の側面の上部に連設されていることを特徴とする魚道用隔壁。
【請求項３】
魚道用の水路に配設される魚道用隔壁であって、該水路を横断するように水路底面に配設される隔壁本体の上部は、その一方の端部側がその他の部分よりも低く形成され、該一方の端部側に、魚類の遡上を可能とする遡上越流部が設けられ、該遡上越流部には、前記上部の他方の端部側に向けて徐々に高くなる傾斜部が連設されており、該遡上越流部の、前記水路の長さ方向で見た幅部の中間部分に、互いに８０〜１２０度の角度をなすように底部で連なった、前記水路の下流側に向けて上向きに傾斜する下流側の傾斜面と前記水路の上流側に向けて上向きに傾斜する上流側の傾斜面とが設けられた溝状凹部が形成され、前記下流側の傾斜面の上部は、前記隔壁本体の下流側の、上に突の円弧状の側面の上部に連設されると共に、前記上流側の傾斜面の上端は、前記隔壁本体の上流側の側面の上端に連設されていることを特徴とする魚道用隔壁。
【請求項４】
魚道用の水路に配設される魚道用隔壁であって、該水路を横断するように水路底面に配設される隔壁本体の上部は、その一方の端部側がその他の部分よりも低く形成され、該一方の端部側に、魚類の遡上を可能とする水平な遡上越流部が設けられ、該遡上越流部には、前記上部の他端側に向けて徐々に高くなる傾斜部が連設されており、該遡上越流部の、前記水路の長さ方向で見た幅部の中間部分に、互いに８０〜１２０度の角度をなすように底部で連なった、前記水路の下流側に向けて上向きに傾斜する下流側の傾斜面と前記水路の上流側に向けて上向きに傾斜する上流側の傾斜面とが設けられた溝状凹部が形成され、前記下流側の傾斜面の上部は、前記隔壁本体の下流側の、上に突の円弧状の側面の上部に連設されると共に、前記上流側の傾斜面の上部は、前記隔壁本体の上流側の側面の上部に連設されていることを特徴とする魚道用隔壁。
【請求項５】
前記傾斜部の前記遡上越流部寄りの部分は、下に突の円弧状を呈していることを特徴とする請求項３又は４記載の魚道用隔壁。
【請求項６】
前記下流側の傾斜面の上部と前記底部との間の距離が５〜３０ｍｍに設定されていることを特徴とする請求項１〜４の何れかに記載の魚道用隔壁。
【請求項７】
前記隔壁本体の前記水路の長さ方向の幅が６０〜２００ｍｍに設定されると共に、前記底部は、前記隔壁本体の前記幅部の中央部位に位置していることを特徴とする請求項１〜４の何れかに記載の魚道用隔壁。
【請求項８】
前記下流側の傾斜面に連設される前記上に突の円弧状の側面は、上に突の四分割円弧状の側面を呈し、該四分割円弧状の側面の上部に前記下流側の傾斜面の上部が連設されており、該連設部分は、上に突の円弧状面に形成されていることを特徴とする請求項１〜４の何れかに記載の魚道用隔壁。
【請求項９】
前記下流側の傾斜面に連設される前記上に突の円弧状の側面は、上に突の四分割円弧状の側面を呈し、該四分割円弧状の側面の上部に前記下流側の傾斜面の上部が連設されており、該四分割円弧状の側面は、前記隔壁本体の底面から１／４〜３／４の高さ部位において上下に分割された上側の側面部分と下側の側面部分とからなり、該下側の側面部分は、四分割円弧状面に形成された上側の側面部分の下端に、該四分割円弧状面の延長として下方に一連に連続すると仮定した仮想の四分割円弧状面よりも上流側に位置するように連設されていることを特徴とする請求項１〜４の何れかに記載の魚道用隔壁。
【請求項１０】
前記上流側の傾斜面の上部が連設される前記隔壁本体の上流側の側面は、前記水路底面と略直角の直角側面を呈し、且つ、前記上流側の傾斜面の上部と前記直角側面の上部との連設部分は、上に突の円弧状面に形成されていることを特徴とする請求項１〜４の何れかに記載の魚道用隔壁。
【請求項１１】
前記上流側の傾斜面の上部は前記下流側の傾斜面の上部よりも高位置にあることを特徴とする請求項１〜４の何れかに記載の魚道用隔壁。
【請求項１２】
前記隔壁本体の前記下流側の側面であって、且つ、前記遡上越流部よりも前記他方の端部側に位置する部分に、前記遡上越流部を遡上する遡上魚類の衝突を防止する衝突防止空洞部を、上流側の側面を開口することなく設けたことを特徴とする請求項２、３又は４記載の魚道用隔壁。
【請求項１３】
前記隔壁本体の下流側の側面であって、且つ、前記遡上越流部よりも前記他方の端部側に位置する部分に、前記遡上越流部を遡上する遡上魚類の衝突を防止する衝突防止空洞部を、上流側の側面を開口することなく設け、該衝突防止空洞部の上縁高さを、前記遡上越流部の最上端高さと等しいかそれよりも高く設定したことを特徴とする請求項２、３又は４記載の魚道用隔壁。
【請求項１４】
前記衝突防止空洞部には、前記一方の端部側に向けて延長する内部空洞部が、前記隔壁本体の内部で連設されていることを特徴とする請求項１２又は１３記載の魚道用隔壁。
【請求項１５】
前記衝突防止空洞部は、前記隔壁本体の他端で開放されていることを特徴とする請求項１２、１３又は１４記載の魚道用隔壁。
【請求項１６】
請求項１〜１５の何れかに記載の魚道用隔壁が、魚道用の水路部材に、その水路を横断するように水路底面に固定状態に配設されてなることを特徴とする魚道用ブロック。
【請求項１７】
請求項１〜１５の何れかに記載の魚道用隔壁の複数が、魚道用の水路部材に、その水路を横断するように水路底面に固定状態に配設されており、該水路の長さ方向で隣り合う魚道用隔壁に関し、下流側に位置する魚道用隔壁の前記遡上越流部に、上流側に位置する魚道用隔壁の前記衝突防止空洞部が対向状態とされていることを特徴とする魚道用ブロック。
【請求項１８】
魚道用の水路に、請求項１２〜１５の何れかに記載の魚道用隔壁が、該水路を横切るように該水路の長さ方向に所要間隔で配設され、該水路の長さ方向で隣り合う魚道用隔壁に関し、下流側に位置する魚道用隔壁の前記遡上越流部に、上流側に位置する魚道用隔壁の前記衝突防止空洞部が対向状態とされていることを特徴とする魚道構造。
【発明の詳細な説明】
【技術分野】
【０００１】
本発明は、主としてタナゴ類やモロコ類、フナ類、ドジョウ類等の小型魚を対象としてこれを低水位部から高水位部に無理なく遡上させることのできる魚道を構成するために用いて好適な、魚道用隔壁、魚道用ブロック、魚道構造に関するものである。
【背景技術】
【０００２】
魚道には種々の構成のものが提案されており、水路を横断するように隔壁を所要間隔で配設した魚道としては、特開２０００−１２００５２号公報が開示する魚の遡上システムが提案されている。この遡上システムは、魚道用の水路に、該水路を横断するように平板状の隔壁を所要間隔で配設し、該隔壁の上端で水を越流させるもので、この越流部を、下流側の水位に対して魚類が遡上可能な高さに設定することにより、水路側から水田又は休耕田側に魚類を遡上させるように構成されていた。
【０００３】
しかしながら、かかる構成の遡上システムによるときは、前記隔壁の下流側で越流した水が下向きに落流するため、前記越流部を遡上せんとする魚類は、この落流に抵抗されて遡上しにくくかった。特に小型魚の場合は、遡上しようとしても落流で叩き落とされやすく遡上率が低い問題があった。
【０００４】
このような問題点を解決せんとして、上面を半円弧状に形成した魚道ブロックを水路に所要間隔で配設する魚道が例えば特開２００５−２８２２８７号公報で開示されている。かかる構成の魚道によるときは、魚道ブロックの半円弧状面における越流が穏やかであるために、前記平板状の隔壁を具えた前記遡上システムにおける場合に比し、魚類の遡上の容易化が図られているといえる。しかしながら、越流部を半円弧状面に形成しているために遡上経路が長くなり、遊泳力の弱い小型魚の場合は前記越流部を一気に遡上するのが難しく水流で押し流されやすい問題があった。
【０００５】
そこで本発明者は、このような問題点を解決せんとして、半円弧状面を呈する越流部の上部に、魚類が休息できる溝状凹部を形成することより、魚類が２段階で遡上できるようにした越流部を想到した。ところで、魚類が休息できる凹状のプール部が設けられた魚道用ブロックとしては特開２００６−６３６５６号公報が開示する魚道用ブロックが提案されている。該魚道用ブロックは、プール後壁がプール前壁よりも高く形成されており、前端部と後端部とが嵌合方式で嵌め合わされて水路の長さ方向に順次連結されることにより魚道を構成するものであった。この魚道用ブロックは、あくまでも順次連結して使用されるものであり、水路長さ方向に所要間隔で配設される等、独立的に使用されるものではない。このように順次連結して構成された魚道によるときは、前記凹状のプール部の上流側に、高さの大なる上流側壁面が形成されていたため、休息場所としてのプール部に到達した魚類が更に上流側に遡上せんとする場合、この高さの高い上流側壁面が障害となって魚類が円滑に遡上できない問題があった。今仮に、該魚道用ブロックを水路の長さ方向に所要間隔で配設した場合も、前記プール部の上流側壁面の傾斜角度が略垂直状態と大きいために、プール部に到達した魚が該プール部で飛び跳ねて上流側に移動するのが難しい問題があった。
【０００６】
【特許文献１】特開２０００−１２００５２号公報（３−７頁、図２−図３）
【特許文献２】特開２００５−２８２２８７号公報（４−７頁、図４、図５、図７）
【特許文献３】特開２００６−６３６５６号公報（３−４頁、図１、図３、図９、図１１）
【発明の開示】
【発明が解決しようとする課題】
【０００７】
本発明は、かかる従来技術の問題点に鑑みて開発されたものであり、低水位部から高水位部に魚類を遡上させる際、小型魚であっても遡上率を向上させることのできる魚道用隔壁の提供を課題とするものである。又、魚道用隔壁を具える魚道の構築を容易化し得る魚道用ブロックの提供を課題とするものである。更に、魚類を安全に遡上させる魚道構造の提供を課題とするものである。
【課題を解決するための手段】
【０００８】
前記課題を解決するため本発明は以下の手段を採用する。
即ち本発明に係る魚道用隔壁の第１の態様は、魚道用の水路に配設される魚道用隔壁であって、該水路を横断するように水路底面に配設される隔壁本体の上部に、魚類の遡上を可能とする遡上越流部が設けられ、該遡上越流部の、前記水路の長さ方向で見た幅部の中間部分に、互いに８０〜１２０度の角度をなすように底部で連なった、前記水路の下流側に向けて上向きに傾斜する下流側の傾斜面と前記水路の上流側に向けて上向きに傾斜する上流側の傾斜面とが設けられた溝状凹部が形成され、前記下流側の傾斜面の上部は、前記隔壁本体の下流側の、上に突の円弧状の側面の上部に連設されると共に、前記上流側の傾斜面の上部は、前記隔壁本体の上流側の側面の上部に連設されていることを特徴とするものである。
【０００９】
本発明に係る魚道用隔壁の第２の態様は、魚道用の水路に配設される魚道用隔壁であって、該水路を横断するように水路底面に配設される隔壁本体の上部は、その一方の端部側がその他の部分よりも低く形成され、該一方の端部側に、魚類の遡上を可能とする遡上越流部が設けられ、該遡上越流部の、前記水路の長さ方向で見た幅部の中間部分に、互いに８０〜１２０度の角度をなすように底部で連なった、前記水路の下流側に向けて上向きに傾斜する下流側の傾斜面と前記水路の上流側に向けて上向きに傾斜する上流側の傾斜面とが設けられた溝状凹部が形成され、前記下流側の傾斜面の上部は、前記隔壁本体の下流側の、上に突の円弧状の側面の上部に連設されると共に、前記上流側の傾斜面の上部は、前記隔壁本体の上流側の側面の上部に連設されていることを特徴とするものである。
【００１０】
本発明に係る魚道用隔壁の第３の態様は、魚道用の水路に配設される魚道用隔壁であって、該水路を横断するように水路底面に配設される隔壁本体の上部は、その一方の端部側がその他の部分よりも低く形成され、該一方の端部側に、魚類の遡上を可能とする遡上越流部が設けられ、該遡上越流部には、前記上部の他方の端部側に向けて徐々に高くなる傾斜部が連設されており、該遡上越流部の、前記水路の長さ方向で見た幅部の中間部分に、互いに８０〜１２０度の角度をなすように底部で連なった、前記水路の下流側に向けて上向きに傾斜する下流側の傾斜面と前記水路の上流側に向けて上向きに傾斜する上流側の傾斜面とが設けられた溝状凹部が形成され、前記下流側の傾斜面の上部は、前記隔壁本体の下流側の、上に突の円弧状の側面の上部に連設されると共に、前記上流側の傾斜面の上端は、前記隔壁本体の上流側の側面の上端に連設されていることを特徴とするものである。
【００１１】
本発明に係る魚道用隔壁の第４の態様は、魚道用の水路に配設される魚道用隔壁であって、該水路を横断するように水路底面に配設される隔壁本体の上部は、その一方の端部側がその他の部分よりも低く形成され、該一方の端部側に、魚類の遡上を可能とする水平な遡上越流部が設けられ、該遡上越流部には、前記上部の他端側に向けて徐々に高くなる傾斜部が連設されており、該遡上越流部の、前記水路の長さ方向で見た幅部の中間部分に、互いに８０〜１２０度の角度をなすように底部で連なった、前記水路の下流側に向けて上向きに傾斜する下流側の傾斜面と前記水路の上流側に向けて上向きに傾斜する上流側の傾斜面とが設けられた溝状凹部が形成され、前記下流側の傾斜面の上部は、前記隔壁本体の下流側の、上に突の円弧状の側面の上部に連設されると共に、前記上流側の傾斜面の上部は、前記隔壁本体の上流側の側面の上部に連設されていることを特徴とするものである。
【００１２】
前記隔壁本体の上部に前記傾斜部を設ける場合、該傾斜部の前記遡上越流部寄りの部分を、下に突の円弧状に形成するのがよい。
【００１３】
前記第１〜４の態様に係る魚道用隔壁において、前記下流側の傾斜面の上部と前記底部との間の距離を５〜３０ｍｍに設定するのがよい。
【００１４】
前記第１〜４の態様に係る魚道用隔壁において、前記隔壁本体の前記水路の長さ方向の幅を６０〜２００ｍｍに設定すると共に、前記底部を、前記隔壁本体の前記幅部の中央部位に位置させるのがよい。
【００１５】
前記第１〜４の態様に係る魚道用隔壁において、前記下流側の傾斜面に連設される前記上に突の円弧状の側面を、上に突の四分割円弧状の側面を呈したものとし、該四分割円弧状の側面の上部に前記下流側の傾斜面の上部を連設し、該連設部分を、上に突の円弧状面に形成するのがよい。
【００１６】
前記第１〜４の態様に係る魚道用隔壁において、前記下流側の傾斜面に連設される前記上に突の円弧状の側面を、上に突の四分割円弧状の側面を呈したものとし、該四分割円弧状の側面の上部に前記下流側の傾斜面の上部を連設し、該四分割円弧状の側面は、前記隔壁本体の底面から１／４〜３／４の高さ部位において上下に分割された上側の側面部分と下側の側面部分とからなるものとし、該下側の側面部分は、四分割円弧状面に形成された上側の側面部分の下端に、該四分割円弧状面の延長として下方に一連に連続すると仮定した仮想の四分割円弧状面よりも上流側に位置するように連設するのがよい。
【００１７】
前記第１〜４の態様に係る魚道用隔壁において、前記上流側の傾斜面の上部が連設される前記隔壁本体の上流側の側面を、前記水路底面と略直角の直角側面を呈したものとし、且つ、前記上流側の傾斜面の上部と前記直角側面の上部との連設部分は、上に突の円弧状面に形成するのがよい。
【００１８】
前記第１〜４の態様に係る魚道用隔壁において、前記上流側の傾斜面の上部は前記下流側の傾斜面の上部よりも高位置に設定するのがよい。
【００１９】
前記第２、３、４の態様に係る魚道用隔壁において、前記隔壁本体の前記下流側の側面であって、且つ、前記遡上越流部よりも前記他方の端部側に位置する部分に、前記遡上越流部を遡上する遡上魚類の衝突を防止する衝突防止空洞部を、上流側の側面を開口することなく設けるのがよい。
【００２０】
前記第２、３、４の態様に係る魚道用隔壁において、前記隔壁本体の下流側の側面であって、且つ、前記遡上越流部よりも前記他方の端部側に位置する部分に、前記遡上越流部を遡上する遡上魚類の衝突を防止する衝突防止空洞部を、上流側の側面を開口することなく設け、該衝突防止空洞部の上縁高さを、前記遡上越流部の最上端高さと等しいかそれよりも高く設定するのがよい。
【００２１】
前記衝突防止空洞部を具える魚道用隔壁において、前記一方の端部側に向けて延長する内部空洞部を、前記隔壁本体の内部で連設するのがよい。
【００２２】
前記衝突防止空洞部を具える魚道用隔壁において、該衝突防止空洞部は、前記隔壁本体の他端で開放されたものとして構成するのがよい。
【００２３】
本発明に係る魚道用ブロックは、前記各魚道用隔壁を、魚道用の水路部材に、その水路を横断するように水路底面に固定状態に配設したことを特徴とするものである。
【００２４】
本発明に係る魚道用ブロックの他の態様は、前記各魚道用隔壁の複数が、魚道用の水路部材に、その水路を横断するように水路底面に固定状態に配設されており、該水路の長さ方向で隣り合う魚道用隔壁に関し、下流側に位置する魚道用隔壁の前記遡上越流部に、上流側に位置する魚道用隔壁の前記衝突防止空洞部が対向状態とされていることを特徴とするものである。
【００２５】
本発明に係る魚道構造は、魚道用の水路に、衝突防止空洞部を具える前記魚道用隔壁の何れかが、該水路を横切るように該水路の長さ方向に所要間隔で配設され、該水路の長さ方向で隣り合う魚道用隔壁に関し、下流側に位置する魚道用隔壁の前記遡上越流部に、上流側に位置する魚道用隔壁の前記衝突防止空洞部が対向状態とされていることを特徴とするものである。
【発明の効果】
【００２６】
本発明は以下の如き優れた効果を奏する。
(1) 本発明に係る魚道用隔壁は、隔壁本体の上部に、魚類の遡上を可能とする遡上越流部が設けられ、該遡上越流部に、互いに８０〜１２０度の角度をなすように底部で連なった下流側の傾斜面と上流側の傾斜面とからなる溝状凹部が設けられると共に、該下流側の傾斜面の上部は、前記隔壁本体の下流側の、上に突の円弧状の側面の上部に連設されている。
従って本発明によるときは、小型魚であっても、越流状態が穏やかである前記上に突の円弧状の側面に沿って比較的容易に遡上でき前記溝状凹部に到達できる。該溝状凹部に到達した魚類は該溝状凹部で一時的に休息でき、尾鰭を振って該尾鰭乃至尾柄で該下流側の傾斜面を蹴ることにより、その反発力で上流側の傾斜面に沿って斜め上方に移動でき、これにより該溝状凹部を脱出できる。
このように魚類は、該魚道用隔壁を２段階で容易に遡上できることから、本発明によるときは魚類の遡上率を向上させ得る。
【００２７】
(2) 隔壁本体の上部を、その一方の端部側をその他の部分よりも低く形成し、該一方の端部側に、魚類の遡上を可能とする遡上越流部を設ける構成を採用した場合は、かかる構成の魚道用隔壁を、該遡上越流部が千鳥配置となるように水路に配設することにより、該遡上越流部を越流した水路水の流速を、高さの高い前記その他の部分によって弱めることができ、該越流水を、下流側に位置する魚道用隔壁の遡上越流部に向けて案内できる。これらによって、水路水を、蛇行流にして流速を落とした状態で流下させることができ、遡上越流部における魚類の遡上をより容易化し、魚類の遡上率を向上させ得る。
【００２８】
(3) 一方の端部側をその他の部分よりも低く形成し、該一方の端部側に遡上越流部を設け、該遡上越流部に、前記他方の端部側に向けて徐々に高くなる傾斜部を連設したときは、水路水の流量が変動しても該傾斜部によって魚の遡上に適した水深を確保できる。これにより魚類の遡上率を向上させ得る。
特に、該一方の端部側に水平な遡上越流部を設けた場合は、該水平な遡上越流部において、水深が略均一な、直線状の穏やかな越流状態が得られるため、該水平な遡上越流部における魚類の遡上率を向上させ得る。
【００２９】
(4) 特に、前記上に突の円弧状の側面を、上に突の四分割円弧状の側面として構成する場合、該四分割円弧状の側面を、前記隔壁本体の底面から１／４〜３／４の高さ部位において上下に分割された上側の側面部分と下側の側面部分とから形成すると共に、該下側の側面部分を、四分割円弧状面に形成された上側の側面部分の下端に、該四分割円弧状面の延長として下方に一連に連続すると仮定した仮想の四分割円弧状面よりも上流側に位置するように連設する構成を採用した場合は、前記溝状凹部への魚類の遡上を容易化できる。
即ち、四分割円弧状面を呈する上側の側面部分を流下する水が該上側の側面部分の下端側の部位でその略接線方向に流れやすいことに伴い、前記下側の側面部分における下方向への流速を比較的小さく抑制できることから、魚類が遡上するための助走区間である前記下側の側面部分付近の越流をより穏やかなものとなし得、従って魚類は、前記下側の側面部分をより容易に遡上して前記溝状凹部に到達できることとなるのである。
【００３０】
(5) 特に、前記傾斜部の前記遡上越流部寄りの部分を、下に突の円弧状に形成する場合は、水際部分の水深を、前記傾斜部が直線状を呈する場合に比してより深く形成できる。かかることから、該水際部分で遡上せんとする魚類がいても、該魚類を、それ程無理のない状態で遡上させることが可能となる。又、下に突の円弧状に形成することにより、該傾斜部における水深変化を緩和させ、前記水平な遡上越流部における越流状態をより整えることができる。これにより魚の遡上率を向上させ得る。
【００３１】
(6) 前記上流側の傾斜面の上部を前記下流側の傾斜面の上部よりも高く位置させた場合は、該上流側の傾斜面の上端を越流した流れが下流側の傾斜面に衝突しにくくなり、従って、該下流側の傾斜面上での流れの乱れ状態を極力防止でき、それだけ魚類の遡上を円滑化し得ることとなる。
【００３２】
(7) 特に、隔壁本体の水路の長さ方向の幅を６０〜２００ｍｍに設定すると共に、前記遡上越流部に設ける溝状凹部の底部を、前記隔壁本体の幅方向の中央部位に位置させる場合は、魚類の遡上経路を前半分と後半分に二分割できることになり、小型魚であっても魚道用隔壁を無理なく遡上可能として遡上率の向上に寄与できる。
【００３３】
(8) 本発明に係る魚道用隔壁が、隔壁本体の上部を、その一方の端部側をその他の端部よりも低く形成し、該一方の端部側に遡上越流部を具える如く構成したとき、該隔壁本体の下流側の側面の、遡上越流部よりも前記他方の端部側に位置する部分に、前記遡上越流部を遡上する遡上魚類の衝突を防止する衝突防止空洞部を設ける構成を採用した場合は、水路の長さ方向で隣り合う魚道用隔壁に関し、下流側に位置する魚道用隔壁の遡上越流部に、上流側に位置する魚道用隔壁の衝突防止空洞部を対向状態に配設して魚道構造を構成したとき、遡上魚類の衝突を効果的に防止できることとなる。これにより、魚類の遡上率を向上させ得ることとなる。
前記衝突防止空洞部に、隔壁本体の内部で内部空洞部を連設する場合は、遡上魚がサギ等の嘴の長い鳥に狙われたとき、該衝突防止空洞部に進入した魚類は、内部空洞部の奥に逃げ込んで危険回避できる。
【００３４】
(9) 本発明に係る魚道用隔壁を水路部材に配設してなる魚道用ブロックによるときは、該魚道用ブロックを連結することによって、施工能率よく簡易に所要の魚道を構築し得る利点がある。
【実施例１】
【００３５】
図１〜３において本発明に係る魚道用隔壁１は、主としてタナゴ類やモロコ類、フナ類、ドジョウ類等の遊泳力の弱い小型魚を対象として、これを排水路等としての低水位部２から貯水池（水田や休耕田、溜め池等）等としての高水位部３に無理なく遡上させることのできる魚道５を構成するためのものであって、魚道用の水路６に該水路６を横断するように水路底面７に配設される隔壁本体９の上部１０に、水路水が上流側から下流側に向けて越流して魚類の遡上を可能とする遡上越流部１１が設けられ、該遡上越流部１１の、前記水路６の長さ方向で見た幅部８の中間部分に溝状凹部１２が形成されている。
【００３６】
前記魚道５を構成するための魚道用隔壁１として、本実施例においては、図４〜１０に示す第１タイプの魚道用隔壁１ａと、図１１〜１２に示す第２タイプの魚道用隔壁１ｂを用いることとしている。両タイプの相違点は、前記隔壁本体９の後述の下流側の側面４１に開口状態で設ける後述の衝突防止空洞部４５を、該隔壁本体の両端部１４，１５の何れ側に設けるかの点であり、その他の構成は同様である。そこで以下の説明においては、主として前記第１タイプの魚道用隔壁１ａについてその構成を詳述することとする。
【００３７】
本実施例において前記第１、第２タイプの魚道用隔壁１ａ，１ｂは、何れも、前記水路６とは独立したコンクリート製のブロックとして構成されており、小型魚を対象とする魚道構成用であることを考慮して、前記隔壁本体９の前記水路６の長さ方向の幅Ｌ１を、６０〜２００ｍｍに、好ましくは１００〜１５０ｍｍに設定している。そして該隔壁本体９は、前記水路底面７に当接状態に固定される水平な底面１３（図５）を具え、且つ図２に示すように、両端部１４，１５が水路側面１６，１６に当接状態に固定されるものであり、その上部１０は、一方の端部側１７がその他の部分１９よりも低く形成され、該一方の端部側１７の１０〜２０ｍｍの範囲の部分Ｌ２（図７）が、魚類の遡上を可能とする水平な前記遡上越流部１１とされている。該遡上越流部１１には、前記上部１０の他端側２０に向けて徐々に高くなる傾斜部２１が連設され、該傾斜部２１の上端には略水平な水平上部２２が連設されている。該傾斜部２１は、本実施例においては図７に示すように、前記遡上越流部１１寄りの部分が下に突の円弧状部２１ａとして形成される一方、前記水平上部２２寄りの部分は、上に突の円弧状部２１ｂとして形成されている。
【００３８】
そして前記溝状凹部１２は、図８に拡大して示すように、互いに８０〜１２０度、好ましくは９０〜１１０度の角度θ１をなすように底部２３で連なった、前記水路６の下流側に向けて上向きに傾斜する下流側の傾斜面２５と、前記水路６の上流側に向けて上向きに傾斜する上流側の傾斜面２６を有する。前記底部２３は、本実施例においては下に突の円弧状を呈しており、又、前記下流側の傾斜面２５及び前記上流側の傾斜面２６は、本実施例においては、殆ど直線状を呈する傾斜面ではあるが厳密には若干上に突の円弧面として形成されている。このように若干上に突の円弧面として形成しているのは、前記溝状凹部１２に流入した水路水の流れ状態をより整えるためである。又、該下流側の傾斜面２５の上端２７と前記底部２３との間の距離Ｌ３は５〜３０ｍｍに、好ましくは７〜１５ｍｍに設定される。
【００３９】
そして、前記下流側の傾斜面２５の上部２７は、図８（Ａ）に示すように、前記隔壁本体９の下流側の、上に突の円弧状の側面２９の上部に連設され、該連設部分３０は上に突の円弧面に形成されている。又、前記上流側の傾斜面２６の上部３１は、前記隔壁本体９の上流側の側面３２（本実施例においては、前記底面１３と略直角をなす直角側面３２ａの上部に連設され、該連設部分３３は上に突の円弧面に形成されている。このように連設部分３０，３３を上に突の円弧面に形成しているのは、魚類が前記溝状凹部１２に到達しその後該溝状凹部１２を脱出する際に損傷されにくくするためである。
【００４０】
前記上に突の円弧状の側面２９は、本実施例においては、上に突の四分割円弧状の側面２９ａとして構成されている。該四分割円弧状の側面２９ａは、より詳しくは図８（Ａ）、図１７に示すように、前記隔壁本体９の前記底面１３から１／４〜３／４の高さ部位３７において、好ましくは略１／２の高さ部位において上下に分割された上側の側面部分３５と下側の側面部分３６とからなり、該下側の側面部分３６は、四分割円弧状面に形成された上側の側面部分３５の下端３７に、該四分割円弧状面の延長として下方に一連に連続すると仮定した仮想の四分割円弧状面（一点鎖線で示す）３５ａよりも上流側に位置するように連設されている。なお、ここに略１／２高さ部位３７の位置は、後述のように、魚類が遡上するための助走区間である前記下側の側面部分３６付近の越流がより緩やかとなる限り、正確に１／２の高さ部位に特定されるものではなく、多少上下してもよい。
【００４１】
又、前記遡上越流部１１の前記溝状凹部１２の下流側部分の上端の、前記水平な底面１３に対する高さＬ４は３０〜９０ｍｍが好ましい。３０ｍｍよりも低いと、より小型の魚の遡上には向くが、前記直角側面３２ａによる流速を減ずる効果が少なくなって好ましくないと共に、魚道用隔壁１，１間の貯水部３９（図３）における必要な水深を確保できなくなって好ましくない。又、９０ｍｍよりも高いと、小型魚にとっての遡上が困難となり易いために好ましくない。
【００４２】
なお本実施例においては、異常な増水を考慮して、前記遡上越流部１１以外の部分にも前記溝状凹部１２を連続させている（図４、図６）。
【００４３】
本実施例において、前記隔壁本体９の前記水路６の長さ方向の幅Ｌ１を６０〜２００ｍｍに設定しているのは、６０ｍｍよりも小さいと、遡上越流部１１で魚類を遡上させるに必要な前記上に突の円弧状の側面２９や前記溝状凹部１２を形成しにくくなって好ましくないからである。又２００ｍｍよりも大きいと、小型魚にとって遡上距離が長いものとなり、遡上率が悪くなるからである。
【００４４】
又、前記溝状凹部１２を構成する下流側の傾斜面２５と前記上流側の傾斜面２６とのなす角度θ１を８０〜１２０度に設定しているのは、８０度よりも小さいと、該溝状凹部１２で休息する魚類に無理な姿勢を強いることになると共に、後述のように魚類が尾鰭を振ってその反発力で溝状凹部を脱出せんとしても効果的な反発力を得にくくなるからである。一方、１２０度よりも大きい場合は、下流側の傾斜面２５に対して尾鰭を振った際における脱出のための反発力が効果的に得られなくなると共に、溝状凹部１２における水深が小さくなって該溝状凹部１２が魚類の休息に適さなくなるからである。
【００４５】
又、該下流側の傾斜面２５の上端２７と前記底部２３との間の距離Ｌ３を５〜３０ｍｍに設定しているが、これは、前記魚道５が遊泳力の弱い小型魚を対象としてのものであることを考慮し、該小型魚の尾柄高が１０ｍｍ〜２０ｍｍであることに合わせて設定したものである。この距離Ｌ３が５ｍｍよりも小さいと、魚類が尾鰭を振っても、溝状凹部１２を脱出できるだけの反発力を得にくいからである。一方３０ｍｍよりも大きいと、溝状凹部１２が深くなり過ぎて魚類が該溝状凹部１２を脱出しにくくなるからである。
【００４６】
かかる構成を有する魚道用隔壁１の主要部の寸法を例示すれば、前記隔壁本体９は、その両端部１４，１５間の長さＬ５（図７）が２８０ｍｍで、前記水路６の長さ方向の幅Ｌ１（図８（Ａ））が１２０ｍｍに設定される。又、前記水平な遡上越流部１１は、その長さＬ２（図７）が１５ｍｍで、前記溝状凹部１２の下流側部分の上端の、前記水平な底面１３に対する高さＬ４（図７）は５６ｍｍに設定される。そして、前記傾斜部２１の水平面に対する傾斜角度は約３０度に設定される。
【００４７】
又、前記下に突の円弧状部２１ａの曲率半径Ｒ１（図７）は１７７ｍｍに設定されると共に、上に突の円弧状部２１ｂの曲率半径Ｒ２は２００ｍｍに設定される。又、該下に突の円弧状部２１ａの上端２４の高さＬ６（図７）は１００ｍｍに設定されると共に、前記上部１０の一端４０から該下に突の円弧状部２１ａの上端２４までの距離Ｌ７（図７）は例えば１１５ｍｍに設定される。又前記溝状凹部１２の底部２３は、図８（Ａ）に示すように、前記隔壁本体９の幅方向の中央部位に位置している。
【００４８】
そして、前記下流側の傾斜面２５と前記上流側の傾斜面２６は、９０度の角度をなすように前記底部２３で連なる如く構成され、前記下流側の傾斜面２５の前記水平な底面１３に対する傾斜角度θ２（図８（Ａ））は７３度に設定されると共に、前記上流側の傾斜面２６の前記水平な底面１３に対する傾斜角度θ３（図８（Ａ））は１７度に設定される。又、前記下流側の傾斜面２５の上端２７と前記底部２３との間の距離Ｌ３（図８（Ｂ））が１２ｍｍに設定されると共に、前記上流側の傾斜面２６の上端３１と前記底部２３との間の距離Ｌ８（図８（Ｂ））が４０ｍｍに設定され、該魚道用隔壁１の前記底面１３を水平にした状態で、上流側の傾斜面２６の上部３１が下流側の傾斜面２５の上部２７よりも若干高位置にあり、該高さの差は例えば４．５ｍｍ程度に設定される。
【００４９】
又図４〜５、図９に示すように、前記隔壁本体９の下流側の側面４１であって、且つ前記遡上越流部１１よりも、隔壁本体９の前記他方の端部１４側に位置する部分（本実施例においては、該下流側の側面４１の、該他方の端部１４側の略半分の部分）４３に、遡上魚類の衝突を防止する衝突防止空洞部４５が設けられている。該衝突防止空洞部４５は、隔壁本体９の前記部分４３は開口させるが上流側の側面４６は開口させることなく設けられており、且つ、前記隔壁本体９の前記他方の端部１４と底面１３で開放状態となるように設けられている。そして、該衝突防止空洞部４５の開口部４７の、前記一方の端部側の側縁４９は略垂直状態を呈しており、円弧縁５０を介して略水平な上縁５１が連なっている。そして該水平な上縁５１の高さＬ９は、図７に示すように、前記遡上越流部１１の最上端高さ、即ち、前記水平な遡上越流部１１の高さよりも高く設定されている。例えば、前記水平な底面１３に対する高さが１１０ｍｍに設定されている。そして該衝突防止空洞部４５の水路幅方向の長さＬ１０（図７）は１４０ｍｍで、水路長さ方向の幅Ｌ１１は９０ｍｍに設定されている。本実施例においては、該衝突防止空洞部４５の前記開口部４７の縁部分５２（図９）を、図１０に示すように、奧側が拡大するように傾斜縁として形成している。
【００５０】
本実施例においては、図５、図７に示すように、前記衝突防止空洞部４５に、前記一方の端部１５側に向けて延長する内部空洞部５３が、前記隔壁本体９の内部で連設され、該内部空洞部５３の先端は、前記一方の端部１５に近接状態とされている。
【００５１】
図１は、前記構成を有するブロックとしての第１の魚道用隔壁１ａと第２の魚道用隔壁１ｂを、前記魚道用の水路６に所要間隔で交互に配設して構成された魚道５を示すものであり、該魚道用隔壁１ａ，１ｂは、該魚道５が小型魚を対象とするものであるためにその体長を考慮して１５０ｍｍ程度の間隔Ｌ１３（図３）で配設している。そして該水路６の水路底面７は、本実施例においては１１度程度の勾配を有しており、前記魚道用隔壁１は、図２〜３に示すように、その底面１３が該水路底面７に当接され且つその両端部１４，１５が該水路６の水路側面１６，１６に当接した状態で、モルタル等を介して該水路６に固定状態とされている。このようにして魚道用隔壁１を水路６に固定状態にして構成される魚道５は、図２に示すように、上下隣り合う魚道用隔壁１Ａ，１Ｂに関し、下流側に位置する魚道用隔壁１Ａの前記遡上越流部１１に、上流側に位置する魚道用隔壁１Ｂの前記衝突防止空洞部４５が対向状態となる魚道構造５５を有している。従って前記魚道用の水路６には、前記その他の部分１９よりも低く形成された前記遡上越流部１１が千鳥状に配設される。
【００５２】
そして前記魚道用隔壁１ａ，１ｂは、前記のように衝突防止空洞部４５と内部空洞部５３を有するため、該魚道用隔壁１が前記水路底面７に固定状態とされることにより、下流側が開口した衝突防止空洞部４５に、周方向に閉じた内部空洞部５３が連設されてなるＬ字状空洞部５６（図２、図４）が形成される。
【００５３】
図３、図１３は、このように水路底面７に固定状態とされた魚道用隔壁１の断面を示すものであり、水路下流側に１１度程度傾いており、この状態で、図１３に示すように、前記溝状凹部１２を形成する前記下流側の傾斜面２５の水平面に対する傾斜角度θ４は６２度となり、該下流側の傾斜面２５の上部２７に、前記四分割円弧状の側面２９ａの上部が連設されている。又、前記上流側の傾斜面２６の水平面に対する傾斜角度θ５は２８度であり、該上流側の傾斜面２６の上部３１が、前記直角側面３２ａの上部に連設されている。そしてこの状態で、前記上流側の傾斜面２６の上部３１が前記下流側の傾斜面２５の上部２７より高く形成され、該高さの差は１６ｍｍ程度となる。
【００５４】
然して、かかる構成の魚道５によるときは、前記水路６を流下する水路水は、図１４〜１５に矢印で示すように、前記直角側面３２ａに当たって流速が弱められ該直角側面３２ａに案内されつつ一方の水路側面１６ａ側から他方の水路側面１６ｂ側に斜めに流れ、その後、前記遡上越流部１１を下流側に越流する。水路水は、これを順次繰り返して水の勢いが減じられながら前記魚道５を蛇行状態で流下するのであり、水路６の長さ方向で隣り合う魚道用隔壁１，１間には、遊泳力の弱い小型魚に適する比較的流れの遅い貯水部３９が形成されることになる。そして該貯水部３９の水は、図３に示すように、前記衝突防止空洞部４５及び前記内部空洞部５３内に入り込んだ状態となる。
【００５５】
該魚道５における水路水の流量は、通常の場合、図３に示すように、前記水平な遡上越流部１１において２０ｍｍ程度の水深が得られるように設定される。このように水深を設定したときは、前記傾斜部２１の傾斜角度の関係から、図１６に示すように、前記隔壁本体９の上部１０の、前記一方の水路側面１６ａから８０ｍｍ程度隔たった部位５９が越流水に触れた状態となる。そして、水路６の長さ方向で隣り合う魚道用隔壁１，１間には前記貯水部３９が形成される。
【００５６】
前記水平な遡上越流部１１における越流状態をより詳しく説明すれば、図３に示すように、２０ｍｍ程度の水深で、該遡上越流部１１の上流側６０から下流側６１に向けて水路水が流下する。本実施例においては、図１７に示すように、前記上流側の傾斜面２６の上部３１が前記下流側の傾斜面２５の上部２７よりも稍高いために、該上流側の傾斜面の上端２６を越流した流れが下流側の傾斜面２５に衝突しにくくなり、従って、該下流側の傾斜面２５上での流れの乱れ状態を極力防止でき、それだけ魚類の遡上を円滑化し得ることとなる。そして前記水平な遡上越流部１１の溝状凹部１２に流入した水は、該溝状凹部１２が水平であるために、図１４、図１７に示すように、前記下流側の傾斜面２５の水平な線状の上部２７で分散され、水深が略均一な、穏やかな流れ状態で越流することとなる。その結果、前記上に突の円弧状の側面２９においては該円弧状の側面２９に沿う穏やかな流れ状態が形成される。これにより、魚類は、該円弧状の側面２９に沿って容易に遡上して前記溝状凹部１２に到達できる。
【００５７】
特に本実施例においては、図１７に拡大して示すように、上に突の円弧状の側面２９を上に突の四分割円弧状の側面２９ａとして構成している。より詳しくは前記のように、前記下側の側面部分３６が、四分割円弧状面に形成された前記上側の側面部分３５の下端３７に、該四分割円弧状面の延長として下方に一連に連続すると仮定した仮想の四分割円弧状面（一点鎖線で示す）３５ａよりも上流側に位置するように屈曲状態に連設されている。従って、四分割円弧状面を呈する上側の側面部分３５を流下する水は図３、図１７に矢印Ｆ１で示すように、該上側の側面部分３５の下端側の部位でその略接線方向に流れやすいことに伴い、前記下側の側面部分３６における下方向への流速を比較的小さく抑制できることとなる。これにより、魚類が遡上するための助走区間である前記下側の側面部分３６付近の越流がより穏やかとなる。かかることから魚類は、図３、図１７に矢印Ｆ２で示すように、前記下側の側面部分３６をより容易に遡上して前記溝状凹部１２に到達できる。
【００５８】
図１８は、魚類６２が前記溝状凹部１２に達した状態を示すものである。該溝状凹部１２に達した魚類６２は、その魚体が前記上流側の傾斜面２６に自然な姿勢で支持される。そしてこの状態で、尾鰭６３を前記下流側の傾斜面２５に無理のない状態で接触させることができる。
【００５９】
従って該溝状凹部１２に達した魚類は、一時的に該溝状凹部１２で体を休めた後に或いは該溝状凹部１２に達した直後に、前記下流側の傾斜面２５に対して尾鰭６３を振り、該尾鰭６５乃至尾柄６５で該傾斜面２５を蹴った際の反発力により、前記上流側の傾斜面２６に沿って斜め上方に移動でき、これによって前記溝状凹部１２を脱出し、該魚道用隔壁１の上流側に存する前記貯水部３９に進入できる。
【００６０】
魚類がこのように溝状凹部１２を脱出する際、脱出の勢いが強い場合は、図３に矢印で示すように、上流側に配設されている魚道用隔壁１の前記衝突防止空洞部４５内に入り込むことができる。このような衝突防止空洞部４５が設けられていないとすれば、溝状凹部１２を脱出する際の勢いが強いと、該溝状凹部１２を脱出した魚類６２が上流側に存する魚道用隔壁１の下流側の側面４１に衝突して損傷される場合が生ずるが、本実施例におけるように衝突防止空洞部４５を設けることにより、魚類が該衝突防止空洞部４５内に入り込めるので、かかる衝突を回避でき、遡上魚類の損傷防止を図ることができるのである。そして該衝突防止空洞部４５は、隔壁本体９の上流側の側面４６を開口することなく設けられているため、上流側から衝突防止空洞部４５内に噴出する水流がなく、従って、遡上魚を衝突防止空洞部４５内に円滑に入り込ませることができるのである。
【００６１】
加えて、該衝突防止空洞部４５は、鳥類等からの隠れ場としても機能する。特に本実施例においては該衝突防止空洞部４５に前記内部空洞部５３が連設されているため、遡上魚類がサギ等の嘴の長い鳥に狙われたとき、該衝突防止空洞部４５に入り込んだ魚類は、内部空洞部５３（図１４）の奥に逃げ込んで危険回避できる。このように内部空洞部５３は、サギ等の鳥類の食害対策としても有効であるが、加えて、水生昆虫の生息場ともなり得るために、遡上魚類の餌場にもなり得る。
【００６２】
遡上魚類は、全ての魚道用隔壁１についてかかる遡上動作を繰り返すことにより、図１に矢印で示すように、前記排水路２から前記水田や休耕田等としての貯水池３に遡上できる。
【００６３】
本発明においては、衝突防止空洞部４５を、前記隔壁本体９の前記下流側の側面４１であって、且つ、前記遡上越流部１１よりも他方の端部１４側に位置する部分に設けているが、もしも該衝突防止空洞部４５を、遡上越流部１１側に延長するように設けたり、前記内部空洞部５３を前記隔壁本体９の前記下流側の側面４１で開放させたりした場合は、魚類が遡上越流部１１を遡上する際、遡上魚類が該衝突防止空洞部４５の上縁部分や内部空洞部５３の上縁部分に引っ掛かって遡上の障害になる不具合が生ずることとなる。又、遡上越流部１１で越流した水流が該衝突防止空洞部４５の上縁部分や該内部空洞部５３の上縁部分を越流する際に乱れるため、魚類の遡上を妨げる不具合がある。
【００６４】
なお図１９は、前記魚道５を流れる水路水の流量が稍多くなった場合を示すものであり、遡上越流部１１を越流する越流水の水深が大きくなって、前記上部１０のより上側部位６６で越流水が接触している。このように越流水の水深が大きくなることは、前記水平な遡上越流部１１における水深が予定水深よりも大きくなることを意味する。該予定水深の水面６７を図１９に一点鎖線で示している。その結果、魚類によっては、水深の大きい該水平な遡上越流部１１を避けて、それよりも上側の浅い部分を選んで遡上することもある。
【００６５】
より詳しく説明すれば、本実施例においては、前記水平な遡上越流部１１に、他端側に向けて徐々に高くなる傾斜部２１が連設されているため、水路６を流下する水量が多くなって水路水の水深が上昇した場合は、該傾斜部２１の傾斜角度に応じて該傾斜部２１部分における水深が変化することになる。従って、このように水路水の水深が変動した場合は、魚類は、前記水平な遡上越流部１１における水深の大なる部分を避けて、傾斜部２１における適当水深部分を選んで遡上する場合も生ずる。特に本実施例においては、前記のように、該傾斜部２１の前記遡上越流部１１寄りの部分が下に突の円弧状を呈しているため、水際部分６９の水深を、前記傾斜部２１が直線状を呈する場合に比してより深く形成できる。かかることから、水深の浅い水際部分６９を選んで遡上せんとする魚類がいても、該魚類を、それ程無理のない状態で遡上させることが可能となるのである。又、前記傾斜部２１の前記遡上越流部１１寄りの部分をこのように下に突の円弧状に形成することにより、該傾斜部における水深変化を緩和させ、前記水平な遡上越流部１１における越流状態を整え易い。
【００６６】
なお、前記実施例においては前記魚道用隔壁１を前記水路６と独立したブロックとして構成しているが、魚道用隔壁１を前記水路６と一体に構成してもよい。
【００６７】
図２０〜２１、図２２は、開放端７０，７０相互が接合されることによって所定長さの魚道を構成する魚道用ブロック７１を示すものであり、水路部材７２に別体の魚道用隔壁１を固定状態に設けてなる。図２０〜２１に示す魚道用ブロック７１ａと図２２に示す魚道用ブロック７１ｂは、衝突防止空洞部４５を隔壁本体９の両端部１４，１５の何れ側に設けるかの点で異なり、その他の構成は同様である。
【００６８】
該水路部材７２は魚道用の水路６を有するＵ字溝状に形成されており、その両端部７３，７３の内周縁部分に、図２３に示すように帯状の止水材７５を介在させる欠切溝状凹部７６がＵ字状に形成されている。そして前記魚道用隔壁１は、該水路部材７２の長さ方向の例えば中央部位において、前記水路６を横断するように水路底面７に設けられており、該魚道用隔壁１と前記水路部材７２の両端部７３，７３間の距離Ｌ１２，Ｌ１３は、本実施例においては夫々７５ｍｍ程度に設定されている。
【００６９】
該魚道用隔壁１は、図４〜６に示した同様の構成を有しており、隔壁本体９の上部１０が、その一方の端部側１７がその他の部分１９よりも低く形成され、該一方の端部側１７に、前記と同様構成の水平な遡上越流部１１が形成されると共に、該遡上越流部１１には、前記上部１０の他端側２０に向けて徐々に高くなる傾斜部２１が連設されている。そして、該遡上越流部１１には図２１に示すように、下流側の傾斜面２５と上流側の傾斜面２６が底部２３で連なった前記と同様構成の溝状凹部１２が形成されると共に、該下流側の傾斜面２５の上部２７は、前記隔壁本体９の下流側の、上に突の円弧状の側面（本実施例においては上に突の四分割円弧状の側面２９ａ）２９の上部に連設されると共に、上流側の傾斜面２６の上部３１は、前記隔壁本体９の上流側の側面（本実施例においては前記水路底面７と略直角を呈する直角側面３２ａ）３２の上部に連設されている。又、前記隔壁本体９の前記下流側の側面４１には、前記と同様構成の、衝突防止用空洞部４５と内部空洞部５３とからなる前記と同様のＬ字状空洞部５６が設けられている。
【００７０】
該魚道用隔壁１は、前記隔壁本体９の底面１３が前記水路底面７に当接状態とされると共にその両端部１４，１５が前記水路側面１６，１６に当接した状態で、モルタル等を介して前記水路部材７２に固定状態とされている。
【００７１】
かかる構成を有する魚道用ブロック７１ａ，７１ｂを用いて魚道５を構築するに際しては、例えば図２３に示すように、該魚道用ブロック７１ａ，７１ｂを、所要勾配の基礎部７４に、前記水平な遡上越流部１１が千鳥配置となるように交互に敷設するのであるが、その際、水路部材７２，７２の開放端７０，７０相互を前記帯状の止水材７５を介在させて接合し一体化する。この接合一体化は、隣り合う前記切欠溝状凹部７６，７６の合致によって形成された収容溝７９に前記止水材７５を介在させると共に、水路部材７２，７２相互を、その両外側面８０，８０において連結片８１で固定することにより行う。所要個数の水路部材７２をこのようにして直線状に連結することによって、魚道用隔壁１ａ，１ｂが１５０ｍｍ程度の間隔を置いて前記水路６に並設されてなる所要長さの前記魚道５が構築され、前記と同様の魚道構造が設けられる。そして、該魚道５は前記と同様に機能し得る。かかる構成の魚道５の複数列、例えば２列を隣り合わせて複数列魚道を構成することもある。
【００７２】
図２４は、１個の水路部材７２に、その水路６の長さ方向に複数個、例えば２個の魚道用隔壁１，１を所要間隔で、例えば１５０ｍｍ程度の間隔で固定状態に設けてなる魚道用ブロック７１を示すものである。該魚道用ブロック７１においては、一方の魚道用隔壁１の前記水平な遡上越流部１１に、他方の魚道用隔壁１の前記衝突防止空洞部４５が対向状態とされている。
【００７３】
前記魚道用ブロック７１，７１においては、魚道用隔壁１が水路部材７２と別体に構成された場合について説明したが、該魚道用隔壁１と水路部材７２とが一体に構成されることもある。この場合、全体を樹脂で一体に形成することもある。
【００７４】
前記魚道用ブロック７１を構成する水路部材７２は、魚道用の水路６を具える各種形態のものとして構成できる。又、魚道用ブロック７１，７１の水路部材７２，７２の端部相互の接合一体化は、該水路部材７２，７２の端部分相互を重ね合わせる等によって行ってもよい。
【実施例２】
【００７５】
本発明は、前記実施例で示したものに限定されるものでは決してなく、「特許請求の範囲」の記載内で種々の設計変更が可能であることはいうまでもない。その一例を挙げれば次のようである。
【００７６】
(1) 図２５〜２６は魚道用隔壁１の他の実施例を示すものであり、図２５に示す魚道用隔壁１は、隔壁本体９の上部１０が一方の端部１５から他端側２０に向けて徐々に高くなる傾斜部（その傾斜角度は例えば、水平面に対して３２度程度）２１が連設されると共に該上部１０の他端側２０は水平上部２２に形成されている。そして該傾斜部２１の下端側の部分が、傾斜した遡上越流部１１とされ、該傾斜した遡上越流部１１に、前記と同様構成の溝状凹部１２が設けられている。本実施例においては、該遡上越流部１１以外の部分にも前記溝状凹部１２を連続させている。そして前記と同様にして、隔壁本体９の下流側の側面４１に衝突防止空洞部４５が設けられている。
【００７７】
前記上部１０は、図２６に示すように、前記隔壁本体９の一方の端部１５から他方の端部１４に向けて一定勾配で傾斜する傾斜部２１として構成されてもよい。このように傾斜部２１を有することから、水路水の流量が増えたときにも、適当深さの水深を有する遡上越流部１１が、傾斜部２１の傾斜角度に応じて形成されることとなる。そして、前記溝状凹部１２の下流側の傾斜面２５の上部２７は、隔壁本体９の下流側の、上に突の円弧状の側面（本実施例においては四分割円弧状の側面２９ａ）２９の上部に連設されると共に、溝状凹部１２の上流側の傾斜面２６の上部３１は、前記隔壁本体９の上流側の側面（本実施例においては前記と同様の直角側面３２ａ）３２の上部に連設されている。そして前記と同様にして、隔壁本体９の下流側の側面４１に衝突防止空洞部４５が形成されている。
【００７８】
魚道用隔壁１をこのように構成した場合は、前記のように、傾斜部２１の下端側としての遡上越流部１１が隔壁本体９の一方の端部側１７に形成されることになる。遡上越流部１１をこのように傾斜部２１の下端側として構成したときは、該遡上越流部１１を越流する水路水が該傾斜部２１の下端側に集まり易いが、その越流状態は、図２７に示すような、溝状凹部の設けられていない越流部８２を水路水が越流する場合とは異なる。この場合における水路水の越流状態は、図２７に示すような、隔壁本体９の一方の端部１５側に寄った収縮状態の越流になる。これに対して本発明においては、前記と同様構成の溝状凹部１２が遡上越流部１１に形成されているために、前記のような水平な遡上越流部１１が設けられている場合ほどではないにしても、溝状凹部１２に流入した水が下流側の傾斜面２５の上端２７を越流することによって前記傾斜部２１の長さ方向で分散して越流することとなり、比較的穏やかな越流状態が得られるのである。これによって、魚類が、前記上に突の円弧状の側面２９を遡上して前記溝状凹部１２に到達するのを容易化し得ることとなる。
【００７９】
(2) 図２８は、水平に形成された上部１０の長さ方向中央部位を欠切して遡上越流部１１を設けた魚道用隔壁１を示し、該遡上越流部１１に、前記と同様構成の溝状凹部１２が設けられている。又図２９は、上部１０の一方の端部寄り部分を欠切して遡上越流部１１を設けた魚道用隔壁１を示すものであり、該遡上越流部１１に前記と同様構成の溝状凹部１２が設けられている。又図３０は、一方の端部側を一段低くし、上部１０が水平である遡上越流部１１を該低い部分で設けた魚道用隔壁１を示すものであり、該遡上越流部１１に前記と同様構成の溝状凹部１２が設けられている。
【００８０】
又、図３１は魚道用隔壁１のその他の実施例を示すものであり、隔壁本体９の上部１０が水平に形成され、該上部の各部が、魚類の遡上を可能とする遡上越流部１１とされており、該遡上越流部１１には、前記と同様構成の溝状凹部１２が設けられている。
【００８１】
そしてこれらの場合、前記溝状凹部１２の下流側の傾斜面の上部２７は、前記と同様に、隔壁本体９の下流側の、上に突の円弧状の側面（本実施例においては四分割円弧状の側面２９ａ）２９の上部に連設されると共に、溝状凹部１２の上流側の傾斜面の２６上部は、前記隔壁本体９の上流側の側面（本実施例においては前記と同様の直角側面３２ａ）３２の上部に連設されている。そして前記と同様にして、隔壁本体９の下流側の側面４１に衝突防止空洞部４５が形成されている。
【００８２】
(3）前記遡上越流部１１に設けられる溝状凹部１２は、前記実施例で示したように、その底部２３が前記隔壁本体９の幅方向の中央部位に位置するように設けられることの他、隔壁本体９の下流側の側面２９に稍偏位した状態で、或いは、上流側の側面３２に稍偏位した状態で設けられることもある。又、下流側の傾斜面２５の上部２７と隔壁本体９の下流側の側面２９との間や、上流側の傾斜面２６の上部２７と、隔壁本体９の上流側の側面３２の上部との間に小幅の平坦部が形成されることもある。
【００８３】
(4) 又、前記遡上越流部１１に設けられる溝状凹部１２の、下流側の傾斜面２５と上流側の傾斜面２６とがなす角度θ１は、略９０度が好ましいが、前記した理由により８０〜１２０度の角度範囲にあるものであれば所要に設定可能である。図３２、図３３は夫々、下流側の傾斜面２５と上流側の傾斜面２６とがなす角度を８０度、１２０度に設定した場合を示している。
【００８４】
又、前記下流側の傾斜面２５の上部２７と前記底部２３との間の距離は、前記実施例においては１２ｍｍに設定しているが、当該魚道が対象とする遡上魚類の大きさに合わせて所要に設定されるものであり、前記隔壁本体９の水路の長さ方向の幅（例えば６０〜２００ｍｍ）に合わせて５〜３０ｍｍの範囲で所要に設定される。図３４、図３５は夫々、この距離を５ｍｍ、３０ｍｍに設定した場合を示している。
【００８５】
又、前記遡上越流部１１に設けられる溝状凹部１２の下流側の傾斜面２５は、水路６の下流側に向けて上向きに傾斜する傾斜面として形成されるものであり、又、前記上流側の傾斜面２６は、前記水路６の上流側に向けて上向きに傾斜する傾斜面として形成されるものであるが、これらの傾斜面２５，２６は、前記したように若干上向きの突面として形成されることの他、直線状に形成されたり、若干凹面の傾斜面として形成されることもある。
【００８６】
(5) 隔壁本体９の下流側の、上に突の円弧状の側面２９は、前記実施例で示したように四分割円弧状の側面として形成されることの他、図３６に示すように、水路の長さ方向に稍長い流線型に形成されることもある。
【００８７】
(6) 又、前記隔壁本体９の上流側の側面３２は、前記したような直角側面３２ａとして形成されることの他、図３７に示すような四分割円弧状の側面３２ｂとして形成されることもある。この場合は、隔壁本体９の遡上越流部１１における断面形状が半円形を呈する。  
【００８８】
(7) 前記隔壁本体９の下流側の側面２９に設ける前記衝突防止空洞部４５は、前記実施例で示したようにその他方の端部を開放状態に形成されることの他、遡上魚の衝突を略良好に防止できる限り、例えば図３８に示すように、該隔壁本体９の他端の下部に、前記水路底面７に対する固定部８７が設けられることもある。
【００８９】
(8) 前記衝突防止空洞部４５の形状は、前記遡上越流部１１を遡上する遡上魚の衝突を防止できる限り、前記実施例で示したものの他、多角形状等を呈するものであってもよい。その際、衝突防止空洞部内に進入した魚が損傷されるのを防止するために、前記開口部４７の縁部分５２（図１０）を、前記のように奧側が拡大する傾斜面に形成することの他、円弧状に形成することもある。
【００９０】
(9) 本発明に係る魚道用隔壁１は、図３９に示すように、前記衝突防止空洞部４５を具えないものとして構成されることもある。
【００９１】
(10)前記溝状凹部１２を形成する前記底部２３は、例えば図４０に示すように直角等の非円弧状に形成されることもある。又、前記連設部分３０，３３が鋭角に形成されることもある。
【００９２】
(11)前記魚道用隔壁１は、前記したコンクリートの他、ゴム、合成樹脂、木、陶磁器等の各種の素材を用いて構成できるものであり、その材質が限定されるものではない。
【００９３】
(12)魚道用隔壁１を水路６に配設して魚道を構築する場合、隣り合う魚道用隔壁間の間隔は前記した１５０ｍｍ程度には特定されず、対象とする遡上魚類に適合させて所要に設定される。又、魚道用隔壁１の前記した各部の寸法や角度も、対象とする遡上魚類に適合させて所要に設定される。更に、一方の端部側がその他の部分よりも低く形成されてなる魚道用隔壁１を配設して魚道を構築する場合、該一方の端部側に設けられた遡上越流部を水路の同一側に配置することもある。
【図面の簡単な説明】
【００９４】
【図１】本発明に係る魚道用隔壁を用いて構築された魚道を示す断面図である。
【図２】その部分斜視図である。
【図３】魚道における水路水の流れ状態と魚類の遡上動作を説明する断面図である。
【図４】魚道用隔壁を上側から見た斜視図である。
【図５】魚道用隔壁を下側から見た斜視図である。
【図６】魚道用隔壁を上側から見た斜視図である。
【図７】魚道用隔壁の各部の構成と寸法を説明する説明図である。
【図８】魚道用隔壁における溝状凹部の構成を説明する断面図である。
【図９】魚道用隔壁を示す断面図である。
【図１０】衝突防止空洞部の開口部の縁部分を説明する断面図である。
【図１１】魚道用隔壁の他の実施例を上側から見た斜視図である。
【図１２】それを下側から見た斜視図である。
【図１３】魚道用隔壁をその使用状態で示す断面図である。
【図１４】魚道における水の流れ状態を説明する斜視図である。
【図１５】魚道における水の流れ状態を説明する平面図である。
【図１６】溝状凹部における通常の水深を説明する断面図である。
【図１７】遡上越流部における水路水の越流状態を説明する断面図である。
【図１８】溝状凹部に到達した魚類の休息状態を示す断面図である。
【図１９】溝状凹部における水位の上昇状態を説明する断面図である。
【図２０】魚道用ブロックを説明する斜視図である。
【図２１】その断面図である。
【図２２】魚道用ブロックの他の実施例を示す斜視図である。
【図２３】魚道用ブロック相互を連結した状態を示す斜視図である。
【図２４】魚道用ブロックのその他の実施例を示す斜視図である。
【図２５】魚道用隔壁のその他の実施例を示す正面図と斜視図である。
【図２６】魚道用隔壁のその他の実施例を示す正面図と斜視図である。
【図２７】溝状凹部が設けられていない魚道用隔壁における水路水の越流状態を説明する斜視図である。
【図２８】魚道用隔壁のその他の実施例を示す斜視図である。
【図２９】魚道用隔壁のその他の実施例を示す斜視図である。
【図３０】魚道用隔壁のその他の実施例を示す斜視図である。
【図３１】魚道用隔壁のその他の実施例を示す斜視図である。
【図３２】魚道用隔壁のその他の実施例を示す断面図である。
【図３３】魚道用隔壁のその他の実施例を示す断面図である。
【図３４】魚道用隔壁のその他の実施例を示す断面図である。
【図３５】魚道用隔壁のその他の実施例を示す断面図である。
【図３６】魚道用隔壁のその他の実施例を示す断面図である。
【図３７】魚道用隔壁のその他の実施例を示す断面図である。
【図３８】魚道用隔壁のその他の実施例を示す斜視図である。
【図３９】魚道用隔壁のその他の実施例を示す斜視図である。
【図４０】魚道用隔壁のその他の実施例を示す断面図である。
【符号の説明】
【００９５】
１  魚道用隔壁
２  排水路
３  貯水池
５  魚道
６  水路
７  水路底面
９  隔壁本体
１０  隔壁本体の上部
１１  遡上越流部
１２  溝状凹部
１７  一方の端部側
１９  その他の部分
２０  上部の他端側
２１  傾斜部
２３  底部
２５  下流側の傾斜面
２６  上流側の傾斜面
２７  下流側の傾斜面の上部
２９  上に突の円弧状の側面
２９ａ  四分割円弧状の側面
３１  上流側の傾斜面の上部
３２  上流側の側面
３５  上側の側面部分
３６  下側の側面部分
３７  接続部
３９  貯水部
４５  衝突防止空洞部
５３  内部空洞部
６２  魚類
６３  尾鰭
６５  尾柄
７０  開放端
７１  魚道用ブロック
７２  水路部材
７５  止水材
【図１】
2008025310.tif 000003
【図２】
2008025310.tif 000004
【図３】
2008025310.tif 000005
【図４】
2008025310.tif 000006
【図５】
2008025310.tif 000007
【図６】
2008025310.tif 000008
【図７】
2008025310.tif 000009
【図８】
2008025310.tif 000010
【図９】
2008025310.tif 000011
【図１０】
2008025310.tif 000012
【図１１】
2008025310.tif 000013
【図１２】
2008025310.tif 000014
【図１３】
2008025310.tif 000015
【図１４】
2008025310.tif 000016
【図１５】
2008025310.tif 000017
【図１６】
2008025310.tif 000018
【図１７】
2008025310.tif 000019
【図１８】
2008025310.tif 000020
【図１９】
2008025310.tif 000021
【図２０】
2008025310.tif 000022
【図２１】
2008025310.tif 000023
【図２２】
2008025310.tif 000024
【図２３】
2008025310.tif 000025
【図２４】
2008025310.tif 000026
【図２５】
2008025310.tif 000027
【図２６】
2008025310.tif 000028
【図２７】
2008025310.tif 000029
【図２８】
2008025310.tif 000030
【図２９】
2008025310.tif 000031
【図３０】
2008025310.tif 000032
【図３１】
2008025310.tif 000033
【図３２】
2008025310.tif 000034
【図３３】
2008025310.tif 000035
【図３４】
2008025310.tif 000036
【図３５】
2008025310.tif 000037
【図３６】
2008025310.tif 000038
【図３７】
2008025310.tif 000039
【図３８】
2008025310.tif 000040
【図３９】
2008025310.tif 000041
【図４０】
2008025310.tif 000042
【手続補正書】
【提出日】平成18年11月16日(2006.11.16)
【手続補正１】
【補正対象書類名】特許請求の範囲
【補正対象項目名】請求項１７
【補正方法】変更
【補正の内容】
【請求項１７】
請求項１２〜１５の何れかに記載の魚道用隔壁の複数が、魚道用の水路部材に、その水路を横断するように水路底面に固定状態に配設されており、該水路の長さ方向で隣り合う魚道用隔壁に関し、下流側に位置する魚道用隔壁の前記遡上越流部に、上流側に位置する魚道用隔壁の前記衝突防止空洞部が対向状態とされていることを特徴とする魚道用ブロック。
【手続補正２】
【補正対象書類名】明細書
【補正対象項目名】００２８
【補正方法】変更
【補正の内容】
【００２８】
(3) 一方の端部側をその他の部分よりも低く形成し、該一方の端部側に遡上越流部を設け、該遡上越流部に、前記他方の端部側に向けて徐々に高くなる傾斜部を連設したときは、水路水の流量が変動しても該傾斜部によって魚類の遡上に適した水深を確保できる。これにより魚類の遡上率を向上させ得る。
特に、該一方の端部側に水平な遡上越流部を設けた場合は、該水平な遡上越流部において、水深が略均一な、直線状の穏やかな越流状態が得られるため、該水平な遡上越流部における魚類の遡上率を向上させ得る。